(57)【要約】【課題】認証が容易であり、屋内側の電子機器にも悪影響を与えることが無い生体認証を用いた無線電子ロック装置を提供すること。【解決手段】玄関扉１の外側又は玄関扉周囲の外壁面に設置されると共に無線による制御信号を送受信する外部生体認証装置２と、玄関扉１の内側に設置されると共に無線による制御信号を送受信する制御装置３とを有し、前記制御装置３は玄関扉１の鍵１６を駆動するロック駆動部３１と制御信号の送受信用の外部アンテナ１５とを有しており、前記外部アンテナ１５の一部は玄関扉１の外側に露出している。また、生体認証を用いた無線電子ロック装置は、玄関扉１の内部空間に内部生体認証装置４を備えている。【選択図】図１
2007126950.tif 000002
【特許請求の範囲】
【請求項１】
扉の外側又は扉周囲の外壁面に設置されると共に無線による制御信号を送受信する外部生体認証装置と、扉の内側に設置されると共に無線による制御信号を送受信する制御装置とを有し、前記制御装置は扉の鍵を駆動するロック駆動部と制御信号の送受信用の外部アンテナとを有しており、前記外部アンテナの一部は扉の外側に露出していることを特徴とする請求項１記載の生体認証を用いた無線電子ロック装置。
【請求項２】
前記外部アンテナは扉の外側に設けられている取っ手の一部又は全部であり、前記取っ手は扉の本体と電気的に絶縁されていることを特徴とする請求項１記載の生体認証を用いた無線電子ロック装置。
【請求項３】
前記外部生体認証装置と前記制御装置とは、共に内部に収容した電池を電源とする請求項１記載の生体認証を用いた無線電子ロック装置。
【請求項４】
前記生体認証を用いた無線電子ロック装置は、さらに扉の内部空間に設けられている内部生体認証装置を有し、前記制御装置は前記内部生体認証装置と無線による制御信号の送受信を行うための内部アンテナを有している請求項１記載の生体認証を用いた無線電子ロック装置。
【請求項５】
前記外部生体認証装置と前記内部生体認証装置とは、予め登録された利用者の手や指の血管パターンによって利用者を識別し無線による制御信号を送信する請求項４記載の生体認証を用いた無線電子ロック装置。
【請求項６】
前記内部生体認証装置は、さらに遠隔地との通信手段を有すること特徴とする請求項４記載の生体認証を用いた無線電子ロック装置。
【請求項７】
前記内部生体認証装置は、前記制御装置を中継し、前記外部生体認証装置へ無線による制御信号を送信することを特徴とする請求項４記載の生体認証を用いた無線電子ロック装置。
【請求項８】
前記外部生体認証装置は、前記制御装置を中継し、前記内部生体認証装置へ無線による制御信号を送信することを特徴とする生体認証を用いた請求項４記載の無線電子ロック装置。
【請求項９】
前記内部生体認証装置は、利用者が有する複数の指の各血管パターンを識別するための記憶手段を備えている生体認証を用いた請求項４記載の無線電子ロック装置。
【発明の詳細な説明】
【技術分野】
【０００１】  本発明は、玄関などに取付けられる生体認証を用いた無線電子ロック装置に関する。
【背景技術】
【０００２】  従来、テンキー入力や磁気カード等を用いた電子ロック装置が用いられてきたが、これらの電子ロック装置は、暗証番号の盗用や磁気カードの複製等の問題があり、これら電子ロック装置に代わるものとしてリモコン式の無線電子ロック装置が多く使用されてきている。【０００３】  このような無線電子ロック装置は、使用者が携帯するリモコン装置と、屋外に設置されると共に当該リモコン装置の無線による送信信号を受信する制御装置と、この制御装置により制御され、玄関扉に取付けられている施錠及び開錠を行うロック駆動装置とを有している。
【発明の開示】
【発明が解決しようとする課題】
【０００４】  このような無線電子ロック装置では、屋外に設置された制御装置による制御信号を、玄関扉に取付けられているロック駆動装置へ無線により送信する。このため、比較的大きな送信出力を必要とする。これは、玄関扉の多くが金属製であるために制御装置からの無線による制御信号が遮断されてしまうからである。【０００５】  このような比較的大きな送信出力は、屋内側（家屋内）に置かれているＯＡ機器やテレビ等の電子機器への好ましくない電磁波となり、これら電子機器に対して悪影響を与えるという問題点がある。【０００６】  さらに、使用者がリモコン装置を紛失した場合には開錠操作が不可能になるという問題もある。【０００７】  本発明は、上記問題点に鑑み、認証が容易であり、屋内側の電子機器にも悪影響を与えることがない生体認証を用いた無線電子ロック装置を提供することを目的とする。
【課題を解決するための手段】
【０００８】  本発明に係る生体認証を用いた無線電子ロック装置は、扉の外側又は扉周囲の外壁面に設置されると共に無線による制御信号を送受信する外部生体認証装置と、扉の内側に設置されると共に無線による制御信号を送受信する制御装置とを有し、前記制御装置は扉の鍵を駆動するロック駆動部と制御信号の送受信用の外部アンテナとを有しており、前記外部アンテナの一部は扉の外側に露出していることを特徴とする。【０００９】  さらに、本発明に係る生体認証を用いた無線電子ロック装置は、前記外部アンテナは扉の外側に設けられている取っ手の一部又は全部であり、前記取っ手は扉の本体と電気的に絶縁されていることを特徴とする。【００１０】  さらに、本発明に係る生体認証を用いた無線電子ロック装置は、前記外部生体認証装置と前記制御装置とが、共に内部に収容した電池を電源とすることが好ましい。【００１１】  さらに、本発明に係る生体認証を用いた無線電子ロック装置は、さらに扉の内部空間に設けられている内部生体認証装置を有し、前記制御装置は前記内部生体認証装置と無線による制御信号の送受信を行うための内部アンテナを有していることが好ましい。【００１２】  さらに、本発明に係る生体認証を用いた無線電子ロック装置は、前記外部生体認証装置と前記内部生体認証装置とが、予め登録された利用者の手や指の血管パターンによって利用者を識別し無線による制御信号を送信することが好ましい。【００１３】  さらに、本発明に係る生体認証を用いた無線電子ロック装置は、前記内部生体認証装置が、さらに遠隔地との通信手段を有すること特徴とする。【００１４】  さらに、本発明に係る生体認証を用いた無線電子ロック装置は、前記内部生体認証装置が、前記制御装置を中継し、前記外部生体認証装置へ無線による制御信号を送信することを特徴とする。【００１５】  さらに、本発明に係る生体認証を用いた無線電子ロック装置は、前記外部生体認証装置が、前記制御装置を中継し、前記内部生体認証装置へ無線による制御信号を送信することを特徴とする。【００１６】  さらに、本発明に係る生体認証を用いた無線電子ロック装置は、前記内部生体認証装置が、利用者が有する複数の指の各血管パターンを識別するための記憶手段を備えていることが好ましい。
【発明の効果】
【００１７】  請求項１記載の本発明に係る生体認証を用いた無線電子ロック装置は、外部認証装置と制御装置とを有し、制御装置が有する外部アンテナにより無線による制御信号の送受信が行われるため、扉が金属製である場合でも良好な送受信を実現することができる。また、この制御信号の送受信は、非常に微弱な電波により実行できるため、外部認証装置と制御装置の消費電力を低減することができる。また、屋内側の電子機器にも電磁波による悪影響を与えることが無い。【００１８】  請求項２記載の本発明に係る生体認証を用いた無線電子ロック装置は、外部アンテナを扉の外側に設けた取っ手の一部又は全部としたため、扉の全体の構造を改変することなく外部アンテナを設けることができる。このため、既存の扉を利用することができるため、無線電子ロック装置の製造コストを低減することができる。【００１９】  請求項３記載の本発明に係る生体認証を用いた無線電子ロック装置は、上記のように外部認証装置と制御装置の消費電力を小さくすることができるため、これら装置は電池を電源とすることができる。このため、外部認証装置や制御装置の設置に伴う電力（家庭用１００Ｖ電源等）を確保するための配線工事が不要となり、設置コストを削減することができる。【００２０】  請求項４記載の本発明に係る生体認証を用いた無線電子ロック装置では、内部生体認証装置が、内部アンテナにより制御装置と無線により制御信号の送受信を行うため、内部生体認証装置と制御装置との間において配線工事を行う必要がない。特に、制御装置は扉の内側に設置されているため、扉の可動部（蝶番が設けられている基部）における配線の屈曲による断線を防止することができる。【００２１】  請求項５記載の本発明に係る生体認証を用いた無線電子ロック装置では、外部生体認証装置と内部生体認証装置が、予め登録された利用者の手や指の血管パターンによって利用者を識別するため、利用者はテンキー入力用の暗証番号の暗記や、磁気カードやリモコン装置を携帯する必要がない。【００２２】  請求項６記載の本発明に係る生体認証を用いた無線電子ロック装置では、内部生体認証装置が遠隔地との通信手段を有しているため、扉の開閉において異常な状態が生じると、自動的にセキュリティ会社等に当該状態を通報することができる。【００２３】  請求項７及び請求項８記載の本発明に係る生体認証を用いた無線電子ロック装置では、外部生体認証装置と内部生体認証装置が、制御装置を介して無線により制御信号を送受信することができるため、扉が金属製である場合でも良好な送受信を実現することができる。【００２４】  請求項９記載の本発明に係る生体認証を用いた無線電子ロック装置では、内部生体認証装置が、利用者が有する複数の指の各血管パターンを識別するための記憶手段を備えているため、利用者が指を選択することにより、他人に気付かれないように内部生体認証装置を操作することができる。
【発明を実施するための最良の形態】
【００２５】  以下、本発明に係る第１実施形態の生体認証を用いた無線電子ロック装置について図面を参照しつつ詳細に説明する。図１及び図２はこの生体認証を用いた無線電子ロック装置の概念図であり、図１は、玄関扉１の外側と、その周囲に設置した外部生体認証装置２とを示し、また、図２は、玄関扉１の内側と、その玄関扉１の内側に設置した制御装置３と、室内に設置した内部生体認証装置４とを示している。【００２６】  本実施形態の生体認証を用いた無線電子ロック装置は、玄関扉１の外側又は玄関扉周囲の外壁面に設置されると共に無線による制御信号を送受信する外部生体認証装置２と、玄関扉１の内側に設置されると共に無線による制御信号を送受信する制御装置３とを有し、前記制御装置３は玄関扉１の鍵１６を駆動するロック駆動部３１と制御信号の送受信用の外部アンテナ１５とを有しており、前記外部アンテナ１５の一部は玄関扉１の外側に露出していることを特徴とする。さらに、この無線電子ロック装置は、玄関扉１の内部空間に内部生体認証装置４を備えている。【００２７】  図１に示す外部生体認証装置２は公知の静脈認証機能を有する。即ち、認証用指挿入口２１に挿入された利用者の手や指の静脈の血管パターンを赤外線により識別し、予め登録されている利用者の静脈の血管パターンとの一致又は不一致を判断する機能を有している。さらに、この外部生体認証装置２は、識別結果により制御信号を生成し、当該信号を無線により制御装置３へ送信し、又は、制御装置３からの無線による送信信号を受信して警報音を発生する機能を有する。【００２８】  また、本実施形態の外部生体認証装置２は、さらに警報音を発生するスピーカー２２を備えている。この外部生体認証装置２は、その内部に電池収納部（図示せず）を有し、電池を電源としているため、外部電源を必要としない。【００２９】  図２に示す制御装置３は、玄関扉１の内側に設置されており、玄関扉１の鍵１６を電動駆動するロック駆動部３１と、制御機能を備えた制御部３２とを有する。この制御部３２は、ロック駆動部３１の制御の他、外部生体認証装置２を無線による制御信号により制御している。また、制御部３２は、玄関扉１の外側に設けられている取っ手１３の下方に設けた外部アンテナ１５を有し（図１参照）、この外部アンテナ１５を介して外部生体認証装置２との間で無線によって制御信号の送受信を行っている。この外部アンテナ１５は、金属板から成る玄関扉本体１１や金属製の取っ手１３とは絶縁体１４により絶縁されている。また、制御装置３には内部アンテナ３３が設けられており、この内部アンテナ３３を介して後述する内部生体認証装置４との間で無線によって制御信号の送受信を行っている。また、符号１７で示す部材は玄関扉１の開閉状態を検知するセンサである。【００３０】  この制御装置３も、その内部に電池収納部（図示せず）を有し、電池を電源としているため、外部電源を必要としない。【００３１】  図２に示す内部生体認証装置４は、上記外部生体認証装置２と同様に公知の静脈認証機能を有する。この生体認証を行うため、内部生体認証装置４には認証用指挿入口４１が設けられている。さらに、この内部生体認証装置４は、その内部に無線電子ロック���置全体の制御を行う主制御部５と、セキュリティ会社が所在する遠隔地と電話線等を介して通信を行う通信部６とを備えている。【００３２】  また、本実施形態の内部生体認証装置４は、さらに警報音を発生するスピーカー４２を備えている。さらに、鍵１６の開錠と施錠を遠隔操作するための鍵操作スイッチ４３、非常時に使用する通報スイッチ４４、及び通報解除スイッチ４５とを備えている。【００３３】  また、内部生体認証装置４の主制御部５は、内部アンテナ４６を有し、この内部アンテナ４６を介して上記制御装置３との間で無線によって制御信号の送受信を行っている。【００３４】  以下、本実施形態の作用効果を説明する。
利用者が施錠された玄関扉１を開く場合には、外部生体認証装置２の認証用指挿入口２１に予め登録されている指を挿入する。外部生体認証装置２は、この指の静脈パターンを読み取り、予め登録されている指の静脈パターンと一致している場合には、開錠可能信号を無線により送信する。【００３５】  この開錠可能信号は、外部アンテナ１５を介して制御装置３内部の制御部３２に送信され、制御部３２の開錠信号によりロック駆動部３１が駆動され鍵１６が開錠される。【００３６】  開錠後、玄関扉１が開くと、制御部３２が玄関扉の開放時間の計測を開始する。そして、予め定めた所定時間以上、玄関扉１の開放状態が続くと、制御部３２は内部アンテナ３３を介して異常を告知する制御信号を内部生体認証装置４の主制御部５へ送信する。この信号を受信した主制御部５はスピーカー４２によって警報音を発生する。また、制御部３２は外部アンテナ１５を介して異常を告知する制御信号を外部生体認証装置２へ送信する。この信号を受信した外部生体認証装置２はスピーカー２２によって警報音を発生する。【００３７】  玄関扉１が再び閉鎖されると、センサ１７により玄関扉１の閉鎖状態が検知され、制御装置３内部の制御部３２による施錠信号によりロック駆動部３１が駆動され鍵１６が施錠される。そして制御部３２により施錠信号が外部生体認証装置２と内部生体認証装置４へ送信され、警報音が継続している場合にはこれが停止される。【００３８】  このように、制御装置３に外部アンテナ１５を設けることにより、外部生体認証装置２との間の無線信号の送信を非常に微弱な電波により実行することができる。【００３９】  次に、侵入者が鍵１６を破壊して侵入した場合について説明する。この場合、外部生体認証装置２からは開錠信号が制御装置３へ送信されていない。この状態において、センサ１７が玄関扉の開放状態を検知すると、制御装置３内部の制御部３２は、内部アンテナ３３を介して内部生体認証装置４へ侵入警報信号を送信する。同時に、制御部３２は外部アンテナ１５を介して外部生体認証装置２へ侵入警報信号を送信する。これら侵入警報信号により、外部生体認証装置２のスピーカー２２と、内部生体認証装置４のスピーカー４２がそれぞれ警報音を発生する。【００４０】  さらに、侵入警報信号が内部生体認証装置４により受信されると、主制御部５は、通信部６を作動させ電話線等を介して遠隔地に所在するセキュリティ会社へ不正な侵入があった旨が自動的に通報される。【００４１】  この通報を解除するための操作は、通報解除スイッチ４５を押しながら予め登録されている利用者の指を認証用指挿入口４１へ挿入することにより行う。主制御部５は、予め登録されている指の静脈パターンと一致している場合には、通報が解除された旨を、通信部６を作動させてセキュリティ会社に通報する。【００４２】  また、通報が解除された場合には、主制御部５はスピーカー４２の警報音を停止し、また、内部アンテナ４６を介して制御装置３に警報音の停止信号を送信する。この停止信号を受信した制御装置３は、さらに制御装置３の外部アンテナ１５を介してこの警報音の停止信号を無線により送信し、この停止信号を受信した外部生体認証装置２はスピーカー２２��警報音を停止する。【００４３】  このように、内部生体認証装置４からの無線による制御信号は、制御装置３によって中継され、外部生体認証装置２へと送信される。このため、玄関扉１が閉鎖された状態であっても、内部生体認証装置４からの無線による制御信号は外部生体認証装置２に確実に受信される。また、内部生体認証装置４からの無線による制御信号の送信は、制御装置３により中継されるため、非常に微弱な電波により実行することができる。【００４４】  侵入者が利用者を脅迫して通報解除操作を行おうとした場合、利用者は通報続行のために予め登録されている指とは異なる指を認証用指挿入口４１に挿入する。例えば、人差し指を通報解除用の指として登録しておき、親指を通報続行用の指として登録しておく。このために内部生体認証装置４は、利用者が有する複数の指の血流パターンを識別するための記憶手段としてのメモリ（図示せず）をその内部に有している。脅迫された利用者が通報解除スイッチ４５を押しながら予め登録されている通報続行用の指を認証用指挿入口４１へ挿入すると、通報は解除されない。しかし、主制御部５によって、上記の通報解除の場合と同様にスピーカー４２と、外部生体認証装置２のスピーカー２２との警報音は停止される。このため、侵入者は通報が解除されたと誤解するが、通報は解除されておらず、セキュリティ会社は侵入者に対する行動を続行することができる。このように、利用者が指を選択することにより、他人に気付かれないように内部生体認証装置４を操作することができる。【００４５】  利用者が留守にする場合には、内部生体認証装置４の警戒ボタン４７を押した後、玄関扉１から退去し、外部生体認証装置２の認証用指挿入口２１に予め登録されている指を挿入する。警戒ボタン４７が操作されると、内部生体認証装置４は、制御装置３に無線により警戒信号を送信する。警戒信号を受信した制御装置３は待機状態になる。そして、利用者が玄関扉１から退去し、外部生体認証装置２の認証用指挿入口２１に予め登録されている指を挿入すると、外部生体認証装置２から施錠信号が送信される。この施錠信号を制御装置３が受信すると、制御装置３内部の制御部３２がロック駆動部３１を駆動し、鍵１６を施錠する。同時に、制御部３２は内部アンテナ３３を介して利用者の退去完了を通知する制御信号を内部生体認証装置４へ無線により送信する。内部生体認証装置４は、内部生体認証装置４の主制御部５に接続されているセキュリティシステム（図示せず）に対して警戒状態への移行を通知する制御信号を送信する。このセキュリティシステムは、窓の開閉状態や振動等を感知するセンサや対人感知用の赤外線センサ等を備えた公知の防犯システムである。【００４６】  以上のように、本実施形態の生体認証を用いた無線電子ロック装置は、外部認証装置２と制御装置３とを有し、制御装置３が有する外部アンテナ１５により無線による制御信号の送受信が行われるため、玄関扉１が金属製である場合でも良好な送受信を実現することができる。また、この制御信号の送受信は、非常に微弱な電波により実行できるため、外部認証装置２と制御装置３の消費電力を低減することができる。【００４７】  さらに、外部アンテナ１５は玄���扉１の取つ手の一部又は全部であるため、玄関扉１の全体の構造を改変することなく、外部アンテナを設けることができる。このため、既存の玄関扉を利用することができ、無線電子ロック装置の製造コストを低減することができる。【００４８】  さらに、上記のように外部認証装置２と制御装置３の消費電力を小さくすることができるため、これら装置は電池を電源とすることができる。このため、外部認証装置２や制御装置３の設置に伴う電力（家庭用１００Ｖ電源等）を確保するための配線工事が不要となり、設置コストを削減することができる。【００４９】  さらに、内部生体認証装置４は、内部アンテナ４６により制御装置３と制御信号の送受信を行うため、内部生体認証装置４と制御装置３との間において配線工事を行う必要がない。特に、制御装置３は玄関扉１の内側に設置されているため、玄関扉１の可動部（蝶番が設けられている基部）における配線の屈曲による断線を防止することができる。【００５０】  さらに、外部生体認証装置２と内部生体認証装置４は、予め登録された利用者の手や指の血管パターンによって利用者を識別するため、利用者はテンキー入力用の暗証番号の暗記や、磁気カードやリモコン装置を携帯する必要がない。【００５１】  さらに、内部生体認証装置４は、遠隔地との通信手段を有しているため、玄関扉１の開閉において異常な状態が生じると、自動的にセキュリティ会社等に当該状態を通報することができる。【００５２】  さらに、外部生体認証装置２と内部生体認証装置４は、制御装置３を介して制御信号を無線により送受信することができるため、玄関扉１が金属製である場合でも良好な送受信を実現することができる。【００５３】  さらに、内部生体認証装置４は、利用者が有する複数の指の各血管パターンを識別するための記憶手段を備えているため、利用者が指を選択することにより、他人に気付かれないように内部生体認証装置４を操作することができる。
【図面の簡単な説明】
【００５４】
【図１】本発明に係る実施形態の生体認証を用いた無線電子ロック装置の概念図であり、玄関扉１の外側とその周囲に設置した外部生体認証装置２とを示している。なお、玄関扉１は、実際の大きさよりも小さく表示されている。
【図２】図１に示す生体認証を用いた無線電子ロック装置の概念図であり、玄関扉１の内側に設置した制御装置３と室内に設置した内部生体認証装置４とを示している。なお、玄関扉１は、実際の大きさよりも小さく表示されている。
【符号の説明】
【００５５】１  玄関扉
１１  玄関扉本体
１３  取っ手
１４  絶縁体
１５  外部アンテナ
１６  鍵
１７  センサ
２  外部生体認証装置
２１  認証用指挿入口
２２、４２  スピーカー
３  制御装置
３１  ロック駆動部
３２  制御部
３３  内部アンテナ
４  内部生体認証装置
４１  認証用指挿入口
４３  鍵操作スイッチ
４４  通報スイッチ
４５  通報解除スイッチ
４６  内部アンテナ
４７  警戒スイッチ
５  主制御部
６  通信部
【図１】
2007126950.tif 000003
【図２】
2007126950.tif 000004